【手続補正書】
【提出日】平成19年3月12日(2007.3.12)
【手続補正１】
【補正対象書類名】明細書
【補正対象項目名】特許請求の範囲
【補正方法】変更
【補正の内容】
【特許請求の範囲】
【請求項１】
コンテンツの暗号処理に適用するコンテンツ暗号処理鍵をコンテンツに対応付けたヘッダ情報として格納し、該ヘッダ情報中のコンテンツ暗号処理鍵を用いて、対応コンテンツの暗号処理を実行する情報処理システムにおいて、
前記ヘッダ情報は、前記コンテンツ暗号処理鍵を異なるキー暗号処理鍵で各々暗号化して生成した複数の暗号化されたコンテンツ暗号処理鍵を含む構成であることを特徴とする情報処理システム。
【請求項２】
前記異なるキー暗号処理鍵は、
複数のデバイスをリーフとして構成したツリーのルートからリーフまでのパス上のルート、ノード、およびリーフに各々キーを対応付けたキーツリーを構成するパス上の更新キー、および下位キーによる上位キーの暗号化処理データを含む有効化キーブロック（ＥＫＢ）によって暗号化されたキー暗号キー（ＫＥＫ）であるＥＫＢ配信キー暗号キー（ＫＥＫ）と、
コンテンツを格納する記憶装置に固有のストレージキー（Ｋｓｔｍ）と、
を含む構成であることを特徴とする請求項１に記載の情報処理システム。
【請求項３】
コンテンツの暗号処理に適用するコンテンツ暗号処理鍵をコンテンツに対応付けたヘッダ情報として記憶装置に格納し、該ヘッダ情報中のコンテンツ暗号処理鍵を用いて、対応コンテンツの暗号処理を実行する情報処理方法において、
前記コンテンツ暗号処理鍵を異なるキー暗号処理鍵で各々暗号化して生成した複数の暗号化されたコンテンツ暗号処理鍵を含むヘッダ情報を前記記憶装置に格納することを特徴とする情報処理方法。
【請求項４】
前記異なるキー暗号処理鍵は、
複数のデバイスをリーフとして構成したツリーのルートからリーフまでのパス上のルート、ノード、およびリーフに各々キーを対応付けたキーツリーを構成するパス上の更新キー、および下位キーによる上位キーの暗号化処理データを含む有効化キーブロック（ＥＫＢ）によって暗号化されたキー暗号キー（ＫＥＫ）であるＥＫＢ配信キー暗号キー（ＫＥＫ）と、
コンテンツを格納する記憶装置に固有のストレージキー（Ｋｓｔｍ）と、
を含む構成であることを特徴とする請求項３に記載の情報処理方法。
【請求項５】
コンテンツの記録または再生を実行する情報処理装置であり、
記憶装置に格納するコンテンツの暗号処理に適用するコンテンツキー：Ｋｃｏｎをコンテンツに対応付けたヘッダ情報として前記記憶装置に格納し、該ヘッダ情報中のコンテンツキー：Ｋｃｏｎを用いて対応コンテンツの暗号処理を実行する構成を有し、
前記コンテンツキー：Ｋｃｏｎを異なるキー暗号処理鍵で暗号化した複数の暗号化コンテンツキーＫｃｏｎを含むヘッダ情報を前記記憶装置に格納する構成を有することを特徴とする情報処理装置。
【請求項６】
前記異なるキー暗号処理鍵は、
複数の情報処理装置をリーフとして構成したツリーのルートからリーフまでのパス上のルート、ノード、およびリーフに各々キーを対応付けたキーツリーを構成するパス上の更新キー、および下位キーによる上位キーの暗号化処理データを含む有効化キーブロック（ＥＫＢ）によって暗号化されたキー暗号キー（ＫＥＫ）であるＥＫＢ配信キー暗号キー（ＫＥＫ）と、
コンテンツを格納する記憶装置に固有のストレージキー（Ｋｓｔｍ）と、
を含む構成であることを特徴とする請求項５に記載の情報処理装置。
【請求項７】
前記ＥＫＢ配信キー暗号キー（ＫＥＫ）を含む有効化キーブロック（ＥＫＢ）は、
前記キーツリーのリーフを構成する情報処理装置中、正当なライセンスを持つ情報処理装置においてのみ復号可能で、正当ライセンスを持たない不正な情報処理装置においては復号不可能な有効化キーブロック（ＥＫＢ）として構成されていることを特徴とする請求項６に記載の情報処理装置。
【請求項８】
前記ヘッダ情報には、
前記ＥＫＢ配信キー暗号キー（ＫＥＫ）の格納の有無を示す識別データを含む構成であることを特徴とする請求項６に記載の情報処理装置。
【請求項９】
前記情報処理装置は、
前記ヘッダ情報および該ヘッダ情報が対応付けられたコンテンツを格納する記憶装置に格納されたコンテンツの再生を実行する構成を有し、
前記ヘッダ情報に含まれる前記複数の暗号化されたコンテンツ暗号処理鍵のいずれか一つを選択してコンテンツキーＫｃｏｎを取得し、該取得したコンテンツキー：Ｋｃｏｎを用いて前記コンテンツの復号処理を実行する構成であることを特徴とする請求項５または６に記載の情報処理装置。
【請求項１０】
前記情報処理装置は、
前記ヘッダ情報および該ヘッダ情報が対応付けられたコンテンツを格納する記憶装置に格納されたコンテンツの再生を実行する構成を有し、
複数の情報処理装置をリーフとして構成したツリーのルートからリーフまでのパス上のルート、ノード、およびリーフに各々キーを対応付けたキーツリー構成中、自己リーフに対応して設定されたリーフキーを、該情報処理装置固有のストレージキー（Ｋｓｔｄ）で暗号化して情報処理装置内の記憶手段に格納する構成を有することを特徴とする請求項５に記載の情報処理装置。
【請求項１１】
前記情報処理装置は、
前記ヘッダ情報および該ヘッダ情報が対応付けられたコンテンツを格納する記憶装置に格納されたコンテンツの再生を実行する構成を有し、
複数の情報処理装置をリーフとして構成したツリーのルートからリーフまでのパス上のルート、ノード、およびリーフに各々キーを対応付けたキーツリー構成中、自己リーフに対応して設定されたリーフの識別子としてのリーフ識別子を情報処理装置内の記憶手段に格納した構成を有することを特徴とする請求項５に記載の情報処理装置。
【請求項１２】
前記情報処理装置は、
前記ヘッダ情報および該ヘッダ情報が対応付けられたコンテンツを格納する記憶装置に格納されたコンテンツの再生を実行する構成を有し、
複数の情報処理装置をリーフとして構成したツリーのルートからリーフまでのパス上のルート、ノード、およびリーフに各々キーを対応付けたキーツリー構成中、自己リーフに対応して設定されたリーフキーを、該情報処理装置固有のストレージキー（Ｋｓｔｄ）で暗号化して情報処理装置内の記憶手段に格納した構成を有し、
前記情報処理装置固有のストレージキー（Ｋｓｔｄ）は、前記キーツリー構成における情報処理装置に対応するリーフのリーフ識別子に基づいて生成されるキーであることを特徴とする請求項５に記載の情報処理装置。
【請求項１３】
前記情報処理装置は、
前記ヘッダ情報および該ヘッダ情報が対応付けられたコンテンツを格納する記憶装置に格納されたコンテンツの再生を実行する構成を有し、
複数の情報処理装置をリーフとして構成したツリーのルートからリーフまでのパス上のルート、ノード、およびリーフに各々キーを対応付けたキーツリー構成中、自己リーフに対応して設定されたリーフキーに基づいて、前記キーツリーの自己リーフから上位に至るパス上の複数段の異なるノードキーを個別に暗号化した暗号化キーの集合としてのデバイスキーブロック（ＤＫＢ）を情報処理装置内の記憶手段に格納した構成を有することを特徴とする請求項５に記載の情報処理装置。
【請求項１４】
前記情報処理装置は、
前記ヘッダ情報および該ヘッダ情報が対応付けられたコンテンツを格納する記憶装置に格納されたコンテンツの再生を実行する構成を有し、
複数の情報処理装置をリーフとして構成したツリーのルートからリーフまでのパス上のルート、ノード、およびリーフに各々キーを対応付けたキーツリーを構成するパス上の少なくとも１以上のキーを下位キーにより暗号化したイニシャル有効化キーブロック（ＥＫＢ）を情報処理装置内の記憶手段に格納した構成を有することを特徴とする請求項５に記載の情報処理装置。
【請求項１５】
コンテンツの暗号処理に適用するコンテンツ暗号処理鍵をコンテンツに対応付けたヘッダ情報として記憶装置に格納し、該ヘッダ情報中のコンテンツ暗号処理鍵を用いて、対応コンテンツの暗号処理をコンピュータ・システム上で実行せしめるコンピュータ・プログラムを提供するプログラム提供媒体であって、前記コンピュータ・プログラムは、
前記コンテンツ暗号処理鍵を異なるキー暗号処理鍵で各々暗号化するキー暗号化ステップと、
前記キー暗号化ステップにおいて生成した複数の暗号化されたコンテンツ暗号処理鍵を含むヘッダ情報を前記記憶装置に格納するステップと、
を有することを特徴とするプログラム提供媒体。
【手続補正２】
【補正対象書類名】明細書
【補正対象項目名】００１６
【補正方法】削除
【補正の内容】
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】